(57)【要約】【課題】本発明の課題は、商品のテスト販売を行った場合に、実際に商品を搬出したコラムの確認が容易に可能となる自動販売機を提供することにある。【解決手段】リモコンのテストキーを操作することによりテスト販売モードとし、商品選択ボタンの操作後、商品選択ボタンに対応したコラムから収容した商品を搬出するテスト販売を行えるようにした自動販売機において、前記テスト販売モード時に、商品選択ボタン操作することで、対応するコラム番号を表示器に表示させ、商品搬出後、次の操作が行われるまであるいは所定時間経過するまではコラム番号の表示を継続する制御手段を備えてなるものである。【選択図】図１
2010049441.tif 000002
【特許請求の範囲】
【請求項１】
リモコンのテストキーを操作することによりテスト販売モードとし、商品選択ボタンの操作後、商品選択ボタンに対応したコラムから収容した商品を搬出するテスト販売を行えるようにした自動販売機において、
前記テスト販売モード時に、商品選択ボタン操作することで、対応するコラム番号を表示器に表示させ、商品搬出後、次の操作が行われるまであるいは所定時間経過するまではコラム番号の表示を継続する制御手段を備えたことを特徴とする自動販売機。
【請求項２】
請求項１に記載の自動販売機において、リモコンにスタートキーを備え、前記テストキーを複数回操作することにより連続テスト販売モードとし、前記商品選択ボタン操作後、スタートキーを操作することで、対応するコラム番号を表示器に表示させ、コラムに収容されている商品を全て搬出後、次の操作が行われるまであるいは所定時間経過するまではコラム番号の表示を継続する制御手段を備えたことを特徴とする自動販売機。
【請求項３】
請求項２に記載の自動販売機において、商品選択ボタンは複数操作可能とし、スタートキーを操作することで、複数操作された商品選択ボタンに対応するコラム番号を表示器に表示させ、最後に選択された商品選択ボタンに対応するコラムに収容されている商品を全て搬出後、次の操作が行われるまであるいは所定時間経過するまでは最後のコラム番号の表示を継続する制御手段を備えたことを特徴とする自動販売機。
【請求項４】
リモコンのテストキーを操作することによりテスト販売モードとし、リモコンの操作キーによりコラムを指定して、指定されたコラムから収容した商品を搬出するテスト販売を行えるようにした自動販売機において、
前記テスト販売モード時に、リモコンの操作キーによりコラムを指定することで、対応するコラム番号を表示器に表示させ、商品搬出後、次の操作が行われるまであるいは所定時間経過するまではコラム番号の表示を継続する制御手段とを備えたことを特徴とする自動販売機。
【請求項５】
請求項４に記載の自動販売機において、リモコンにスタートキーを備え、前記テストキーを複数回操作することにより連続テスト販売モードとし、前記リモコンの操作キーによるコラム指定後、スタートキーを操作することで、対応するコラム番号を表示器に表示させ、コラムに収容されている商品を全て搬出後、次の操作が行われるまであるいは所定時間経過するまではコラム番号の表示を継続する制御手段とを備えたことを特徴とする自動販売機。
【請求項６】
請求項１ないし５のいずれか１項に記載の自動販売機において、前記表示器は、金額表示器あるいはリモコンの表示器であることを特徴とする自動販売機。
【請求項７】
請求項１ないし５のいずれか１項に記載の自動販売機において、前記表示器は、前記商品選択ボタンに対応して設けられている価格表示器であることを特徴とする自動販売機。
【請求項８】
請求項１ないし７のいずれか１項に記載の自動販売機において、コラム番号を表示する際には、対応する前記商品選択ボタンの販売可能ランプも点灯させることを特徴とする自動販売機。
【発明の詳細な説明】
【技術分野】
【０００１】
本発明は、庫内に収容した商品をコラムから実際の販売とは関係無く、搬出するテスト販売を行えるようにした自動販売機の改良に関する。
【背景技術】
【０００２】
従来、自動販売機のテスト販売には、単品テスト販売と連続テスト販売とがあり、作業員によって、以下の手順で行われている。
まず、単品テスト販売は、単品テスト販売モードとし、商品選択ボタンを押すことにより、その商品選択ボタンに対応するコラムに収容されている商品を搬出するものである。
【０００３】
次に、連続テスト販売は、連続テスト販売モードとし、商品選択ボタンを押すことにより、その商品選択ボタンに対応するコラムに収容されている全ての商品を売切となるまで連続して搬出するものである。
【０００４】
このテスト販売時に、商品を選択して商品を商品取出口に搬出させた後、何も表示されていなければ、作業員は、例えば、商品数の多い自動販売機などでは、どの商品選択ボタンの商品を搬出させたのかが判らなくなり、メモなどを取る必要があった。
【０００５】
そこで、商品を選択した際に、押された商品選択ボタンの販売可能ランプを点灯させ、商品が払い出された後、販売可能ランプを次の商品選択操作が行われるまで継続して点滅させるようにした構成が考えられている（例えば、特許文献１参照）。
【特許文献１】特開２００４−３１８６２６号公報
【発明の開示】
【発明が解決しようとする課題】
【０００６】
しかしながら、前述したように、テスト販売において、商品選択ボタンに内蔵されている販売可能ランプを点灯させる構成であると、実際にどのコラムから商品が搬出させたのかが判らないという課題がある。
【０００７】
また、商品選択ボタンとコラムとは１対１との関係とは限らない場合があり、すなわち、一つの商品選択ボタンに複数のコラムが接続されている場合、あるいは、複数の商品選択ボタンに一つのコラムが接続されている場合、また、複数の商品選択ボタンと複数のコラムとがグループとなって交互販売するようになっている場合など、実際にどのコラムから商品が搬出されたのかが判らないという課題がある。
【０００８】
そこで、本発明は、上記課題に鑑みてなされたものであり、商品のテスト販売を行った場合に、実際に商品を搬出したコラムの確認が容易に可能となる自動販売機を提供することを目的とする。
【課題を解決するための手段】
【０００９】
上記目的を達成するために、本発明の自動販売機では、以下の手段によって達成される。
（１）リモコンのテストキーを操作することによりテスト販売モードとし、商品選択ボタンの操作後、商品選択ボタンに対応したコラムから収容した商品を搬出するテスト販売を行えるようにした自動販売機において、前記テスト販売モード時に、商品選択ボタン操作することで、対応するコラム番号を表示器に表示させ、商品搬出後、次の操作が行われるまであるいは所定時間経過するまではコラム番号の表示を継続する制御手段を備えることにより達成される。
【００１０】
上記自動販売機において、リモコンにスタートキーを備え、前記テストキーを複数回操作することにより連続テスト販売モードとし、前記商品選択ボタン操作後、スタートキーを操作することで、対応するコラム番号を表示器に表示させ、コラムに収容されている商品を全て搬出後、次の操作が行われるまであるいは所定時間経過するまではコラム番号の表示を継続する制御手段を備えることにより達成される。
【００１１】
また、上記自動販売機において、商品選択ボタンは複数操作可能とし、スタートキーを操作することで、複数操作された商品選択ボタンに対応するコラム番号を表示器に表示させ、最後に選択された商品選択ボタンに対応するコラムに収容されている商品を全て搬出後、次の操作が行われるまであるいは所定時間経過するまでは最後のコラム番号の表示を継続する制御手段を備えることにより達成される。
（２）リモコンのテストキーを操作することによりテスト販売モードとし、リモコンの操作キーによりコラムを指定して、指定されたコラムから収容した商品を搬出するテスト販売を行えるようにした自動販売機において、前記テスト販売モード時に、リモコンの操作キーによりコラムを指定することで、対応するコラム番号を表示器に表示させ、商品搬出後、次の操作が行われるまであるいは所定時間経過するまではコラム番号の表示を継続する制御手段を備えることにより達成される。
【００１２】
上記自動販売機において、リモコンにスタートキーを備え、前記テストキーを複数回操作することにより連続テスト販売モードとし、前記リモコンの操作キーによるコラム指定後、スタートキーを操作することで、対応するコラム番号を表示器に表示させ、コラムに収容されている商品を全て搬出後、次の操作が行われるまであるいは所定時間経過するまではコラム番号の表示を継続する制御手段を備えることにより達成される。
【発明の効果】
【００１３】
本発明は、自動販売機において、テスト販売時に表示器にコラム番号を直接表示し、次の操作が行われるまであるいは所定時間経過するまではコラム番号の表示を継続させることで、テスト販売の搬出確認が容易となる。
【００１４】
しかも、コラム番号の表示中にコラムに対応する商品選択ボタンの販売可能ランプも併せて表示させることで、テスト販売の搬出確認がより容易となる。
【発明を実施するための最良の形態】
【００１５】
以下に添付図面を参照しながら、本発明に係る自動販売機の実施の形態について説明する。
図２は、本発明の実施の対象となる自動販売機の概略正面図の一例を示すものであり、自動販売機２は、その本体キャビネット前面に外扉２０を備えており、本体キャビネット内には複数種類の商品を個別に収納する複数（ｎ個）のコラムを備えており、商品選択ボタン２２が押され、販売指令が与えられた場合に押された商品選択ボタン２２に対応する商品の払い出しを行う。
この外扉２０には、その表面側に商品見本展示室２１、後述する販売可能ランプ２２ａおよび売切ランプ２２ｂを内蔵する商品選択ボタン２２、硬貨投入口２３、返却レバー２４、一体型表示器２５、紙幣挿入口２６、硬貨返却口２７、商品取出口２８が設けられている。
【００１６】
商品見本展示室２１は、外扉２０の上部に構成した透明の窓を有し、内部に配列した商品見本２１ａを外部に視認させることが可能である。商品見本展示室２１を通じて視認される商品見本２１ａは、それぞれコラムに収納した商品であり、商品選択ボタン２２と対応して設けられている。
【００１７】
一体型表示器２５は、デジタル表示器、販売中ランプ、準備中ランプ、値釣銭切ランプ、お札中止表示などの各種表示部から構成されている。
次に、図１は、本発明の一実施の形態を示す構成ブロック図である。
１は自動販売機全体を制御し、制御プログラムを記憶するメモリ１ａ、各種データを記憶するメモリ１ｂ、時計１ｃを備える主制御部である。
【００１８】
この主制御部１には、各種設定操作を行うためのリモコン１１、庫内の商品を冷却あるいは加温するための冷熱制御部１２、商品搬出装置を制御する商品搬出制御部１３、硬貨投入口２３から投入されたコインを計数、演算するためのコインメカニズム１４、紙幣挿入口２６から挿入された計数、演算するための紙幣ビルバリデータ１５の他、販売可能ランプ２２ａおよび売切ランプ２２ｂを内蔵する商品選択ボタン２２、一体型表示器２５などが接続されている。
【００１９】
リモコン１１は、表示部１１ａ、テストキー１１ｂ、スタート・ストップキー１１ｃ、アップキー１１ｄ、ダウンキー１１ｅ、終了キー１１ｆなどを備えている。
この構成において、商品選択ボタンを用いた連続テスト販売の処理手順に関し、図３のフローチャート図を用いて制御動作を説明する。
【００２０】
まず、リモコン１１のテストキー１１ｂが２回押されたかを判断し（ステップＳ１）、２回押されると（ステップＳ１，Ｙｅｓ）、連続テスト販売のモードとなる（ステップＳ２）。
【００２１】
次に、商品選択ボタン２２が押されたかをを判断し（ステップＳ３）、所望の商品選択ボタン２２が押されると（ステップＳ３，Ｙｅｓ）、一体型表示器２５、リモコン１１の表示部１１ａに押された商品選択ボタン２２に対応付けられているコラム番号を表示する（ステップＳ４）。
【００２２】
一方、商品選択ボタン２２が３０秒以内に押されないと（ステップＳ１２，Ｙｅｓ）、連続テスト販売のモードを強制終了する。
次に、リモコン１１のスタート・ストップキー１１ｃを押すと（ステップＳ５，Ｙｅｓ）、連続テスト販売を開始し（ステップＳ６）、該当するコラムの商品選択ボタン２２の販売可能ランプ２２ａのみを点灯する（ステップＳ７）。
【００２３】
一方、リモコン１１のスタート・ストップキー１１ｃが３０秒以内に押されないと（ステップＳ１２，Ｙｅｓ）、連続テスト販売のモードを強制終了する。
次に、連続テスト販売を行っているコラムが売切れか否かを判断し（ステップＳ８）、売切れであれば（ステップＳ８，Ｙｅｓ）、停止したコラム番号を表示する（ステップＳ９）。
【００２４】
次に、リモコン１１の終了キー１１ｆが押されたかを判断し、押されなければ（ステップＳ１０，Ｎｏ）、ステップＳ３に戻り、商品選択ボタン２２の選択待ちとなり、続けて連続テスト販売を行う場合には商品選択を行い、終了する場合には、リモコン１１の終了キー１１ｆが押されることにより終了となり（ステップＳ１０，Ｙｅｓ）、一体型表示器２５、リモコン１１の表示部１１ａのコラム番号を消灯させる（ステップＳ１１）。
【００２５】
一方、終了キー１１ｆおよび商品選択ボタン２２が３０秒以内に押されないと（ステップＳ１２，Ｙｅｓ）、連続テスト販売のモードを強制終了する。
このように、コラムの番号そのものを次の商品選択あるいは終了キー１１ｆの操作が行われるまでは表示を継続させるため、作業者にとっては、搬出したコラムの確認が容易となり、しかも、対応する商品選択ボタンの販売可能タンプも合わせて表示させることで、より確認が容易に行える。
【００２６】
また、商品選択ボタン２２を複数押して、その後に、リモコン１１のスタート・ストップキー１１ｃを押すことにより、複数のコラムを順次搬出することも可能であり、この場合、搬出コラムに対応したコラム番号を表示し、複数コラム終了後は、最後のコラム番号を継続して表示する。
【００２７】
さらに、複数コラムが、２コラムの場合にはオルタネート表示をし、３コラム以上の場合にはスクロール表示するようにして、次の操作までは搬出したコラムを全て確認できるようにすることで、搬出確認が容易となる。
【００２８】
なお、商品選択ボタン２２に対応してデジタルの商品価格表示器が設けられている場合には、その商品価格表示器にコラム番号を表示させることにより、作業者は目線を動かさずに搬出コラムが確認可能となる。
【００２９】
次に、リモコン１１のアップキー１１ｄ、ダウンキー１１ｅを用いた連続テスト販売の処理手順に関し、図４のフローチャート図を用いて制御動作を説明する。
まず、リモコン１１のテストキーが２回押されたかを判断し（ステップＳ４１）、２回押されると（ステップＳ４１，Ｙｅｓ）、連続テスト販売のモードとなる（ステップＳ４２）。
【００３０】
次に、リモコン１１のアップキー１１ｄ、ダウンキー１１ｅが操作されたかを判断し（ステップＳ４３）、アップキー１１ｄ、ダウンキー１１ｅが操作され（ステップＳ４３，Ｙｅｓ）、一体型表示器２５、リモコン１１の表示部１１ａに搬出させたいコラムを表示させる（ステップＳ４４）。
【００３１】
一方、リモコン１１のアップキー１１ｄ、ダウンキー１１ｅのいずれかのキーが３０秒以内に操作されないと（ステップＳ５２，Ｙｅｓ）、連続テスト販売のモードを強制終了する。
【００３２】
次に、リモコン１１のスタート・ストップキー１１ｃを押すと（ステップＳ４５，Ｙｅｓ）、連続テスト販売を開始し（ステップＳ４６）、該当するコラムに対応する商品選択ボタン２２の販売可能ランプ２２ａのみを点灯する（ステップＳ４７）。
【００３３】
一方、リモコン１１のスタート・ストップキー１１ｃが３０秒以内に操作されないと（ステップＳ５２，Ｙｅｓ）、連続テスト販売のモードを強制終了する。
次に、連続テスト販売を行っているコラムが売切れか否かを判断し（ステップＳ４８）、売切れであれば（ステップＳ４８，Ｙｅｓ）、停止したコラム番号を表示する（ステップＳ４９）。
【００３４】
次に、リモコン１１の終了キー１１ｆが押されたかを判断し、押されなければ（ステップＳ５０，Ｎｏ）、ステップＳ４３に戻り、リモコン１１のアップキー１１ｄ、ダウンキー１１ｅの操作待ちとなり、続けて連続テスト販売を行いたい場合には、アップキー１１ｄ、ダウンキー１１ｅを操作して次のコラムを選択し、終了する場合には、リモコン１１の終了キー１１ｆが押されることにより終了となり（ステップＳ５０，Ｙｅｓ）、一体型表示器２５、リモコン１１の表示部１１ａのコラム番号を消灯させる（ステップＳ５１）。
【００３５】
一方、終了キー１１ｆ、アップキー１１ｄ、ダウンキー１１ｅのいずれかのキーが３０秒以内に押されないと（ステップＳ５２，Ｙｅｓ）、連続テスト販売のモードを強制終了する。
【００３６】
このように、コラムの番号そのものを次のアップキー１１ｄ、ダウンキー１１ｅの操作あるいは終了キー１１ｆの操作が行われるまでは表示を継続させるため、作業者にとっては、搬出確認が容易となり、しかも、対応する商品選択ボタンの販売可能タンプも合わせて表示させることで、より確認が容易に行える。
【００３７】
また、商品選択ボタン２２に対応してデジタルの商品価格表示器が設けられている場合には、その商品価格表示器にコラム番号を表示させることにより、作業者は目線を動かさずに搬出コラムが確認可能となる。
【００３８】
なお、上記操作の他に返却レバー２４の操作により連続テスト販売のモードを強制終了するようにしてもよい。
上記実施の形態では、連続テスト販売モードについてのみ説明したが、単品テスト販売においても同様にコラム番号を表示させ、次の操作が行われるまでは表示を継続させるため、作業者にとっては、搬出確認が容易となる。
【００３９】
また、スタート・ストップキー１１ｃにて連続テスト販売をスタートさせるが、再度、スタート・ストップキー１１ｃを押すことで、テスト販売を中断できるものであり、本実施の形態では、一つのキーとして機能させているが、スタートキーとストップキーとを個別に設けてもよい。
【図面の簡単な説明】
【００４０】
【図１】本発明の一実施の形態である制御構成を示すブロック図
【図２】本発明の実施の対象となる自動販売機の概略正面図
【図３】本発明における制御動作を示すフローチャート図
【図４】本発明における制御動作を示すフローチャート図
【符号の説明】
【００４１】
１            主制御部
１ａ，１ｂ    メモリ
１ｃ          時計
１１          リモコン
１１ａ        表示部
１１ｂ        テストキー
１１ｃ        スタート・ストップキー
１１ｄ        アップキー
１１ｅ        ダウンキー
１１ｆ        終了キー
２２          商品選択ボタン
２２ａ        販売可能ランプ
２５          一体型表示器
【図１】
2010049441.tif 000003
【図２】
2010049441.tif 000004
【図３】
2010049441.tif 000005
【図４】
2010049441.tif 000006